(57)【要約】      （修正有）【課題】主変速装置として無段変速可能な変速装置を採用しても、作業に適した車速域に素早く移行させようとする。【解決手段】エンジン１６の回転を走行装置１３，１３へ伝達する主・副変速装置４０，４１を設け、主変速装置４０は無段変速装置に構成すると共に副変速装置４１はギヤ連動による有段変速装置に構成し、上記主・副変速装置４０，４１によって形成される全変速車速域を複数に設定した車速帯にて区分し第１の変速操作部４２によってこの複数の車速帯のいずれかを選択設定し、第２の変速操作部４７ｕ，４７ｄによって当該選択された車速帯の範囲で増減速するよう構成した無段変速機の変速操作装置の構成とする。【選択図】図９
2010285150.tif 000002
【特許請求の範囲】
【請求項１】
エンジン（１６）の回転を走行装置（１３，１３）へ伝達する無段変速装置（３）を設け、第１の変速操作部（２０，４２）によって高低車速の低速側から順に高速に移行するように設けられた車速帯を選択設定し、第２の変速操作部（２１ｕ，２１ｄ、４７ｕ，４７ｄ）によって当該選択された車速帯の範囲で増減速するよう構成した無段変速機の変速操作装置。
【請求項２】
エンジン（１６）の回転を走行装置（１３，１３）へ伝達する主・副変速装置（４０，４１）を設け、主変速装置（４０）は無段変速装置に構成すると共に副変速装置（４１）はギヤ連動による有段変速装置に構成し、上記主・副変速装置（４０，４１）によって形成される全変速車速域を複数に設定した車速帯にて区分し第１の変速操作部（４２）によってこの複数の車速帯のいずれかを選択設定し、第２の変速操作部（４２ｕ，４２ｄ）によって当該選択された車速帯の範囲で増減速するよう構成した無段変速機の変速操作装置。
【請求項３】
第１変速操作部はレバーガイド（２４，４３）に沿わせて変速操作するレバー（２０，４２）に構成し、第２変速操作部は第１変速操作部（２０，４２）の握り操作部に設けた増・減速スイッチ（２１ｕ，２１ｄ、４７ｕ，４７ｄ）によって構成する請求項１または請求項２に記載の無段変速機の変速操作装置。
【請求項４】
第２変速操作部の増・減速スイッチ（２１ｕ，２１ｄ、４７ｕ，４７ｄ）操作による無段変速装置（３，４０）の変速は、所定速度段毎に設定してなる請求項３に記載の無段変速機の変速操作装置。
【請求項５】
選択設定される車速帯を複数の作業モード用車速帯と単一の路上走行モードとに設定し、このうち作業モード用車速帯での増・減速スイッチ操作（２１ｕ，２１ｄ、４７ｕ，４７ｄ）による変速は所定有段設定とし、路上走行モードの車速帯での増・減速スイッチ（２１ｕ，２１ｄ、４７ｕ，４７ｄ）操作による変速は無段階に設定できるよう構成する請求項４に記載の無段変速機の変速操作装置。
【発明の詳細な説明】
【技術分野】
【０００１】
この発明は、各種作業車両に搭載されて走行連動する静油圧式無段変速機（ＨＳＴ）、この静油圧式無段変速機と機械式変速機を組み合わせた液圧機械式変速装置（ＨＭＴ）などの無段変速機における変速操作装置に関する。
【背景技術】
【０００２】
従来から農業用トラクタにおいて、例えばＨＳＴを設けて走行装置を駆動する構成としているが、このＨＳＴを主変速機構とし該主変速機構のほかに副変速機構を設ける形態がある。ところで、これら主・副変速機構は夫々別々の操作レバーによって変速操作される構成とされ、異なる作業形態、例えばプラウ作業、ロータリ耕耘作業など、によって車速表を確認しながらいちいち適正車速を得るため、上記主・副変速装置の各操作レバーを操作する必要がある。ところで特開平２−２７２６５号公報には、変速操作で選択した変速位置のエンジン定格時の車速が表示されるために、作業速を容易に確認でき、変速位置の選択を的確に行うことができ、車速を表示する技術が開示され、車速の把握の容易化が図れるが、適正車速であるか否かの判定はオペレータに頼らざるを得ない。
【先行技術文献】
【特許文献】
【０００３】
【特許文献１】特開平２−２７２６５号公報
【発明の概要】
【発明が解決しようとする課題】
【０００４】
主変速装置として無段変速可能な変速装置を採用するため、細かい車速を実現できる反面、作業に適した車速域に素早く移行することができない構成となっている。
また、主変速装置として無段変速装置を構成するため、操作レバーの前後揺動範囲で任意に設定でき所望の車速を得られるようレバー操作域は無段階操作可能に構成されるため、オペレータにとって適正な車速域を作業の度毎にいちいち探さねばならない煩わしさがあった。
【課題を解決するための手段】
【０００５】
この発明は上記の課題を解決しようとするもので次の技術的手段を講じた。
即ち、請求項１に記載の発明は、エンジン（１６）の回転を走行装置（１３，１３）へ伝達する無段変速装置（３）を設け、第１の変速操作部（２０，４２）によってによって高低車速の低速側から順に高速に移行するように設けられた車速帯を選択設定し、第２の変速操作部（２１ｕ，２１ｄ、４２ｕ，４２ｄ）によって当該選択された車速帯の範囲で増減速するよう構成した無段変速機の変速操作装置の構成とする。
【０００６】
請求項２に記載の発明は、エンジン（１６）の回転を走行装置（１３，１３）へ伝達する主・副変速装置（４０，４１）を設け、主変速装置（４０）は無段変速装置に構成すると共に副変速装置（４１）はギヤ連動による有段変速装置に構成し、上記主・副変速装置（４０，４１）によって形成される全変速車速域を複数に設定した車速帯にて区分し第１の変速操作部（４２）によってこの複数の車速帯のいずれかを選択設定し、第２の変速操作部（４２ｕ，４２ｄ）によって当該選択された車速帯の範囲で増減速するよう構成した無段変速機の変速操作装置の構成とする。
【０００７】
請求項１および請求項２の構成によると、オペレータは、まず第１変速操作部によって所望の車速帯に設定することにより、必要な変速段を絞り込むことができ、次いで第２変速操作部の操作によって所望の変速状態を得る。
【０００８】
請求項３に記載の発明は、請求項１及び請求項２に記載の構成において、第１変速操作部はレバーガイド（２４，４３）に沿わせて変速操作するレバー（２０，４２）に構成し、第２変速操作部は第１変速操作部（２０，４２）の握り操作部に設けた増・減速スイッチ（２１ｕ，２１ｄ、４７ｕ，４７ｄ）によって構成する。
【０００９】
上記のように第１変速操作部で必要な車速帯を選択するときは、機体を停止状態でレバー操作を行い、機体を発進させた後は第２変速操作部の増・減速スイッチ操作に基づき所望の変速状態を得ることができる。
【００１０】
請求項４に記載の発明は、請求項３において、第２変速操作部の増・減速スイッチ（２１ｕ，２１ｄ、４７ｕ，４７ｄ）操作による無段変速装置（３，４０）の変速は、所定速度段毎に設定してなる。従って、無段変速装置を採用しながらも車速帯を選択すると、以後の詳細設定は有段設定できるものであるから、所定段への移行が円滑である。
【００１１】
請求項５に記載の発明は、請求項４において、選択設定される車速帯を複数の作業モード用車速帯と単一の路上走行モードとに設定し、このうち作業モード用車速帯での増・減速スイッチ操作（２１ｕ，２１ｄ、４７ｕ，４７ｄ）による変速は所定有段設定とし、路上走行モードの車速帯での増・減速スイッチ（２１ｕ，２１ｄ、４７ｕ，４７ｄ）操作による変速は無段階に設定できるよう構成する。このように構成すると、作業モードでは第１変速操作具による複数の車速帯のなかからも素早い車速設定が可能となり、一方路上走行モードではオペレータの熟練度等に見合う極め細かい車速設定が可能となって利便性が高い。
【発明の効果】
【００１２】
請求項１又は請求項２に記載の発明によると、オペレータは、まず第１変速操作部（２０，４２）によって所望の車速帯に設定することにより、必要な変速段を絞り込むことができ、次いで第２変速操作部（２１ｕ，２１ｄ、４７ｕ，４７ｄ）の操作によって所望の変速状態を得ることができ、第１変速操作具による操作を行うと、無段変速装置の全域に渡る調整を制限でき、容易迅速に所望の車速を得られる。
【００１３】
請求項３に記載の発明によると、第１変速操作具で必要な車速帯を選択するときは、機体を停止状態でレバー操作を行い、機体を発進させた後は第２変速操作具の増・減速スイッチ（２１ｕ，２１ｄ、４７ｕ，４７ｄ）操作に基づき所望の変速状態を得るもので、単一レバーの把持操作をもって変速操作ができ、操作性が向上する。
【００１４】
請求項４に記載の発明は、無段変速装置を採用しながらも車速帯を選択すると、以後の詳細設定は有段設定できるものであるから、所定段への移行が円滑となる。
請求項５に記載の発明は、作業モードでは第１変速操作部（２０，４２）による複数の車速帯のなかからも素早い車速設定が可能となり、一方路上走行モードではオペレータの熟練度等に見合う極め細かい車速設定が可能となり、操作性が向上する。
【図面の簡単な説明】
【００１５】
【図１】トラクタ側面図
【図２】要部の概要説明図
【図３】静油圧式無段変速装置の操作部側面図
【図４】同上の平面図
【図５】同上の背面図
【図６】車速−変速位置関係グラフ（Ａ）、車速帯一例を示すグラフ（Ｂ）
【図７】レバーガイドの一例を示す平面図
【図８】制御ブロック図
【図９】異なる例を示す要部の概要説明図
【図１０】同上の車速−変速位置関係グラフ（Ａ）、車速帯一例を示すグラフ（Ｂ）
【図１１】レバーガイドの他の例を示す平面図
【図１２】制御ブロック図
【図１３】フローチャート
【発明を実施するための形態】
【００１６】
以下、この発明の実施例を図面に基づいて具体的に説明する。
農業用トラクタ１０は、図外ロータリ耕耘機等の作業機を車両後部に装着する形態であり、図１、及び図２に示すように、車体フレーム１１の前部に左右一対の前輪１２，１２を軸架し、後部に左右の後輪１３，１３をそれぞれ軸装して構成している。そして、操縦座席１４は、車体フレーム１１の後部寄りに配置して設け、その前方位置にステアリングハンドル１５を設けて操舵可能に構成している。
【００１７】
そして、エンジン１６は、車体フレーム１１の前部に搭載し、中間伝動ケース１７に後述の静油圧式無段変速装置３を内装し、後部ミッションケース１８内のデフ機構１９を介して左右後輪１３を駆動する構成である。
【００１８】
つぎに、静油圧式無段変速装置３について説明する。
まず、静油圧式無段変速装置３は、油圧ポンプと油圧モータとから構成され、一方の油圧ポンプをエンジン１６に伝動可能に接続し、他方の油圧モータをミッションケース１８のデフ機構１９に回転動力を出力するように接続して構成している。
【００１９】
そして、静油圧式無段変速装置３は、油圧ポンプから油圧モータに作動油を循環しながらポンプ側のトラニオン軸７の操作により斜板が調節されると、作動油が変更調節され、正・逆回転の切替と増減速の調節とができる構成としている。
【００２０】
このように構成された静油圧式無段変速装置３は、図１、乃至図３に示すように、前記中間伝動ケース１７内に設け、前述のとおり後部ミッションケース１８に回転動力を入力する構成としている。そして、取付けベース４は、図面に示すように、一枚の板状に形成し、前記静油圧式無段変速装置３、及び中間伝動ケース１７から外側に離れた位置に縦方向に配置し、中間伝動ケース１７に複数個の取付けボルト３０によって支持した構成としている。
【００２１】
そして、制御モータ５は、図３、乃至図５に示すように、前記取付けベース４の内側、すなわち、取付けベース４と中間伝動ケース１７との間に位置させてベース４に取り付けている。そして、操作装置６は、操作軸６ａと操作歯車６ｂとから構成し、操作軸６ａを取付けベース４に貫通して軸受け支持し、一方側（内側）を前記制御モータ５に伝動可能に接続し、他方（外側）に操作歯車６ｂを軸着して構成している。
【００２２】
そして、トラニオン軸７は、図面に示すように、前記静油圧式無段変速装置３から外側に延長して前記取付けベース４を貫通させてベース４の外側まで延長して軸受け支持し、先端部位に変速歯車７ａを軸着した構成としている。この場合、トラニオン軸７は、制御モータ５側の操作軸６ａと平行状態を保って取付けベース４に軸受して設け、先端の大径とした変速歯車７ａを、操作軸６ａの小径の操作歯車６ｂに噛合させて設け、前記制御モータ５から出力される操作力がトラニオン軸７に伝達される構成としている。
【００２３】
そして、制御モータ５は、操縦席の近傍に配置される操作レバー２０及び増・減速スイッチ２１ｕ、２１ｄの操作に基づき連動設定されるポテンショメータからなる角度設定器２２の設定角度θが角度０から最大のθｍの範囲に亘り変化するに基づき、トラニオン軸７を中立位置から最高速側に回動すべく連動構成される。また、２３は操作レバー２０の近傍に配置する前後進切替スイッチで、前進側と後進側とに切替自在に設けられ、同じく制御モータ５の回動を司る。
【００２４】
上記操作レバー２０及び増・減速スイッチ２１ｕ，２１ｄは、第１、第２変速操作部を示し、これらの設定入力信号に基づき制御部２５は、前記制御モータ５を回転駆動する構成である。即ち、上記角度設定器２２の設定角度θは、速度小から大に亘って、超低速作業用ＬＬ、低速作業Ｌ、中速作業Ｍ、高速作業Ｈ、最高速を含む路上走行ＨＨの車速帯を選択するように予め設定されている（図５）。そして、これら各車速帯の選択は、第１変速操作部としての操作レバー２０を予め設定したレバーガイド２４に沿わせて選択操作することによって実行できる構成としている。なお、各車速帯域での作業例について、超低速作業域ではトレンチャや畔塗り作業、低速作業域ではロータリ耕耘作業、中速作業域では代掻き作業、高速作業域ではプラウ作業が代表的である。また、前記各車速帯域のうち作業車速ＬＬ，Ｌ，Ｍ，Ｈでは車速帯を互いにオーバーラップさせて選択車速に幅を持たせている。
【００２５】
上記レバーガイド２４は略直線的に構成され、車速帯は高低車速の低速側から順に高速に移行するように配置されている。また、レバーガイド２４は直状の操作移行部と段差２４ａを有した操作移行部を配し、特に作業車速帯域Ｈから路上走行車速帯域ＨＨに移行する部分には段差２４ａを設けて一気に移行できないようにして誤操作防止を図っている。また作業車速帯のうち、低速作業車速帯と中速作業車速帯との間においても段差２４ｂを設けて同様の効果を図るものである。
【００２６】
上記操作レバー２０の選択によって設定された車速帯域において、該操作レバー２０の握り部２０ａに配置された第２変速操作部である増・減速スイッチ２１ｕ，２１ｄを操作することによって段階的に操作しうる構成である。即ち、増・減速スイッチ２１ｕ又は２１ｄの押し操作で、設定角度θは変わらずとも、制御モータ５を予め設定した単位分回動させる構成とし、上記高低５つの車速帯の各範囲内では所定段数の増・減速操作を行なうことができる構成としている。なお車速帯毎に増・減できる段数を変更設定するようになっている。
【００２７】
上記の設定車速帯域のうち、路上走行ＨＨを選択すると、アクセル操作と連動して変速する構成となっている。アクセルペダルや手動アクセルレバー操作などのアクセル操作に伴い、変速段数を高低に自動変速するもので、上記制御部２５は、操作レバー２０の路上走行車速域への位置検出、アクセルセンサ２６によるアクセル状態検出、を入力することによって、増減変速の要否を判定し所定に増速又は減速する構成である。この増減速の範囲は前記増・減速スイッチ２１ｕ，２１ｄによって設定する単位速度に基づくものでもよく、さらに極め細かく無段階的に設定できる構成でもよい。このように構成すると、アクセル操作に基づき必要に応じて変速制御できわめて便利である。
【００２８】
上記のアクセルセンサ２６等による変速制御において、機体のブレーキ操作を検出すると、路上走行の設定車速帯域ＨＨに関わらず、車速０の状態に制御される構成である。また、路上走行の車速帯域ＨＨ設定を継続して車体を発進するときは、予め設定する規定速度Ｖ１を得るように変速制御される構成である。ここで、規定速度Ｖ１は、走行トルクを伝えて前進し得る速度段に設けられる。
【００２９】
また、制御部２５は次の機能を備える。操作レバー２０による車速帯域への操作のうち、路上走行以外の作業車速を選択したときには、各車速帯域ＬＬ，Ｌ，Ｍ，Ｈでの第２変速操作による変速段数の累積使用時間Σｔｎを算出して記憶する。次回当該車速帯域を選択設定するときは累積使用時間Σｔｎの最も長い変速段を採用する構成である。このように構成すると、毎回適正変速段数を設定する煩わしさをなくして操作性を向上する。
【００３０】
次いで、変速装置として主・副変速装置を備える作業車両の場合について説明する。上記の実施例では、静油圧式無段変速装置単体において複数の車速帯域に設定できる構成としたが、この静油圧式無段変速装置３を主変速装置４０とし、有段（例えば２段）の副変速装置を構成する場合においても同様である。即ち、副変速装置４１として高・低２段に変速する構成である。この副変速装置４１と主変速装置４０との無段変速によって、図９（Ａ）の変速位置−車速関係グラフに示す車速を得ることができる。これらの２本で現される車速のうち範囲を設定して、超低速ｌｌ、低速ｌ、中速ｍ、高速ｈ及び路上走行速ｈｈに区分して切替できる構成とし、変速操作レバー４２によってレバーガイド４３に沿って切替え出来る構成としている。
【００３１】
副変速装置４１の高低変速は制御部２５からの切替信号を受けてシリンダ機構４４の伸縮作動によって行なう構成とし、その切替制御は高・低切替信号の入力によって油路を切り替える切替バルブ４５をもって行う構成である。高・低制切替信号の入力は制御部２５からの指令信号に基づくものであり、レバーガイド４３毎に設ける各変速位置センサ４６ａ，４６ｂ，４６ｃ，４６ｄ及び４６ｅに基づくものである。なお、上記高低切替の際には主クラッチを油圧クラッチ形態に構成するなどして一旦クラッチ切状態としておき自動的に高または低に切り替えるものである。
【００３２】
変速操作レバー４２が操作され変速位置センサ４６ａがオンに操作されると、超低速の車速帯ｌｌを選択できるもので、副変速は低の状態に自動設定され、主変速は予め設定された範囲を変速操作レバー４２の握り部４２ａに設けた増・減速スイッチ４７ｕ，４７ｄによって変速しうる。同様に、変速位置センサ４６ｂがオンすると、副変速は低の状態に自動設定され主変速は範囲ｌを変速設定できる。以下変速位置センサ４６ｃがオンする状態では副変速は高に自動切り替わり主変速は範囲ｍで増減速され、センサ４６ｄでは副変速高、主変速は範囲ｈを、センサ４６ｅでは副変速高、主変速は範囲ｈｈで変速操作できるものである。
【００３３】
上記のように、変速操作レバー４２の設定に基づき、副変速は適正な変速位置に自動設定され、主変速は予め設定した適性範囲をもって増減変速できる構成であるから、変速位置を複数の作業形態及び路上走行に対応させておくことで、握り部４２ａの増・減変速スイッチ４７ｕ，４７ｄの操作をもって、簡単容易に目的の作業速度あるいは路上走行速度を得ることができる。
【００３４】
主・副変速装置４０,４１を備えて複合的に車速帯域を設定する上記第２の実施例において、主変速装置４０を増・減速する構成については、前記第１の実施例の増減スイッチ２１ｕ，２１ｄ操作によって制御モータ５の角度を設定する構成に順じるものとなっている。すなわち、各変速位置センサ４６ａ〜４６ｅのいずれかがオンすると各設定速度範囲ｌｌ〜ｈｈが選択され、この範囲に見合う増減速度に変更できるよう制御モータ５が回動される構成である。
【００３５】
第２の実施例における変速操作レバー４２、及び増・減変速スイッチ４７ｕ，４７ｄにおける複合の設定速度範囲、即ち車速帯域ｌｌ〜ｈｈで夫々に変速できるものとなる。この例におけるレバーガイド４３は前後及び左右操作を伴い、副変速が低を選択設定されるときのガイド部は左半部に集中し、副変速が高に設定されるときは右半部に集中する構成として、手前側から前方に向け速度が速くなるよう設定している。このように、副変速の高・低切替えをそろえておくことによって、誤操作を来たさず、操作系の配置構成にとっても一方側に高速側を他方側に低速側をそろえることができ有利である。
【００３６】
上記第２の実施例において、主変速は段階的に変速できるように構成してもよく、無段階に変速できる形態でもよい。また、第１実施例におけるように、変速操作レバーの各作業速毎に使用変速段の累積時間を記憶させて次回の当該変速段ではこれを採用することによって操作の向上が図れる。
【００３７】
第２の実施例において、副変速を高・低に切り替える際には、パワーシフト機構として各変速段毎に油圧クラッチを介在させる構成としておく。このように構成すると、クラッチペダル切操作を伴わずともよいため、上記のように主クラッチをいちいち切り操作せずともよいため便利である。パワーシフトに代えて伝動系に油圧クラッチを介在し、主クラッチの切り操作を必要としないで高低変速する構成でもよい。
【００３８】
図１２は、上記の主クラッチの切り操作をなくして副変速を高低変速する際の主変速制御の一例を示す。前回作業の累積時間Σｔｎを記憶して、当該変速位置に変速操作レバー４２を操作するとき（ステップ１０１）、前回の当該変速位置における主変速各段の累積時間を呼び出し（ステップ１０２）、最長時間におけるシフト位置、即ちメモリ変速位置を選択する（ステップ１０３）。ここで、主変速装置の速度が速い側にかつ、副変速が高速側にシフトされようとの条件のもとでは（ステップ１０４、１０５）、主変速をシフトせずそのままの位置とする（ステップ１０７）。所謂ノークラッチで変速する場合には、減速側へ車速が変化すると違和感を伴うがこれを解消する。
【００３９】
なお、図１２において、クラッチペダルの操作の有無によって操作があると判定されたときは（ステップ１０６）、特定作業への移行とみなされるから、累積時間Σｔｎに対応する変速（メモリ変速）に切り替わる（ステップ１０８）。なお、ステップ１０５で副変速低に切り替わる場合には、変速前車速より変速後車速が大に設定されると（ステップ１０９）、クラッチペダル操作がないときは、主変速をそのままとし、クラッチペダル操作があるときは、制御モータ回転制御がなされて変速制御される。ステップ１０９で変速後車速が小と判定されるときも同様に変速制御される（ステップ１１０）。
【００４０】
符号３５はトラニオンセンサで、図１、及び図２に示すように、トラニオン軸７の下方に取り付け、トラニオン軸７の回動角度位置を検出する構成としている。即ち、トラニオン軸７と一体に設けるＬ型ピン３５ａを、ポテンショメータ３５ｂ側から延出し先端をＵ型に形成した係合部３５ｃに係合させてトラニオン軸７の角度変化をポテンショメータ３５ｂに連繋する構成である。該トラニオンセンサ３５の検出結果に基づき中立復帰状態を確認する構成としている。
【００４１】
また符合３６はニュートラルアームで、図１に示すように、トラニオン軸７から上方に延長して設けられる。該ニュートラルアーム３６の上部にピン３６ａを突設し、夫々に同長の長孔３８，３８を形成した左右の作動杆３７Ｌ，３７Ｒを係合して構成している。そして、作動杆３７Ｌ，３７Ｒは、図１に示すように、端部に連結した操作ワイヤー３９Ｌ，３９Ｒを介してブレーキペダル４０に接続して構成している。
【００４２】
上記のように構成されるから、ブレーキペダル４０の非操作状態では、ニュートラルアーム３６が各長孔３８，３８で許容される範囲で変速歯車７ａに追従して回動でき、一方ブレーキペダル４０を踏んだとき、強制的にニュートラル位置に戻すことができる構成となっており、制御モータ５が故障しても静油圧式無段変速装置３の安全が確保できるものとなっている。
【符号の説明】
【００４３】
３    無段変速装置
１３    後輪（走行装置）
１６    エンジン
２０    第１変速操作部
４０    主変速装置
４１    副変速装置
４２    第１変速操作部
２１ｕ，２１ｄ  第２変速操作部
４７ｕ，４７ｄ  第２変速操作部
【図１】
2010285150.tif 000003
【図２】
2010285150.tif 000004
【図３】
2010285150.tif 000005
【図４】
2010285150.tif 000006
【図５】
2010285150.tif 000007
【図６】
2010285150.tif 000008
【図７】
2010285150.tif 000009
【図８】
2010285150.tif 000010
【図９】
2010285150.tif 000011
【図１０】
2010285150.tif 000012
【図１１】
2010285150.tif 000013
【図１２】
2010285150.tif 000014
【図１３】
2010285150.tif 000015